【手続補正書】
【提出日】平成16年8月19日(2004.8.19)
【手続補正１】
【補正対象書類名】明細書
【補正対象項目名】全文
【補正方法】変更
【補正の内容】
【発明の詳細な説明】
【発明の名称】爪
【技術分野】
【０００１】
本発明は、楽器の弦を爪弾くまたはかき鳴らすための爪に関する。特に、本発明は、親指と他の指の間で保持するための爪に関する。
【背景技術】
【０００２】
ギター、バンジョウ、ハープおよび類似のものなどの弦楽器のための爪すなわちピックは、弦を爪弾くまたはかき鳴らすために人の指の爪の代替として長い間使用されてきた。これらの爪は、弦楽器を演奏しようと望む使用者にとって有用な装置である。
【０００３】
通常、使用者はその特性、楽器で使用される弦のタイプ、および彼の演奏のスタイルおよび技術に応じて爪を選択する。
【０００４】
通常の爪は、プラスチック、木、骨、貝殻、金属またはその他の適切な材料製である、材料の平坦な部片である。プラスチックの爪が、極めて一般的に使用されるようになっており、ナイロンの弦で使用するのに適していることが、これらをさらに普及させている。金属の爪は、固く、剛性であり、主に金属の弦に適している。これらの材料は、それ自体の特徴的な剛性を有し、様々な音色および音の風合いを作成するために使用されている。
【０００５】
従来型の爪はまた、様々な形状で作成される。通常の形状は、三角形または楕円形（メロンの種型または涙型）である。爪が作成する特徴的な音に影響を与える３つの要素がある。すなわち、親指と他の指の間の把持点、演奏縁部の把持点からの距離、演奏縁部での厚さである。
【０００６】
平坦な爪での問題点は、親指と他の指の間で良い把持を有することが困難であることである。このことは、楽器の個々の弦を爪弾く精度に影響を与える。良い把持を提供するというこの問題点を克服するために、特にプラスチック成形された爪に対して、従来技術は把持点にぎざぎざを付ける、または刻み目を付けることの使用を示している。別の方法は、把持点に開口部を設けることである。爪上での良い把持を提供することによって、このことは、使用者が、特定の音色を作成するために弦を正確に爪弾くことを可能にし、使用者が彼のスタイルと自信を持って演奏する技術を表現することを可能にする。
【０００７】
爪のサイズは、別の要因である。これらは、サイズと爪の把持の容易さの二律背反である。大きな爪は、より大きな把持領域を提供するが、そのサイズは、親指とその他の指の間での爪の素早い枢動を邪魔する。他方では、より小さい爪の把持領域は制限されているが、小さいサイズが、使用者により良い機敏さを与える。
【０００８】
これらの従来型の爪は、通常、１、０．７および０．５ｍｍの厚さをそれぞれ有する、「厚」、「中間」、「薄」と記載されている。たとえば、ギター演奏での使用に対しては、「厚い」爪が、ソロまたはリード用のより大きな力強い音を作成する。「薄い」爪は、アコースティックな背景音のためなどの、優しく柔らかい音を作成する。「中間の」厚さの爪は、通常のまたは普通の音のために使用することができる。
【０００９】
通常の爪は、制限された数の演奏縁部を有する。演奏縁部は、しばしば爪の端部に配置されている。様々な音色または音が必要とされるとき、使用者は、爪上の使用可能ないくつかの演奏縁部を交番させる必要がある。そうでなければ、彼は、楽器を演奏している間に異なる爪に交換しなければならない。使用者が、たとえば、ヘビーメタルロックタイプから１２弦アコースティックギターの柔らかいかき鳴しまでの音の風合いを作成しようと望むとき、このことは必要であるかもしれない。
【発明の開示】
【発明が解決しようとする課題】
【００１０】
本発明の爪は、従来型の爪の上記の欠点または問題点のいくつかを克服する、または少なくとも軽減させることを目的とする。目的は、爪の助けによって弦楽器の音色の生成における制御および多様性および品質を使用者に提供することである。
【課題を解決するための手段】
【００１１】
本発明の第１の実施形態によると、
（ａ）複数の弦係合手段を有する第１の部分と、
（ｂ）さらなる弦係合手段を備える第２の部分と、
（ｃ）第１および第２の部分を接続し、爪を横切る弧の形状に形成されている一体に形成された接続部材とを備え、
複数の弦係合手段および前記さらなる係合手段が、弦楽器の少なくとも１つまたは複数の弦を１つまたは複数の弦係合手段と係合させることによって使用者が弦楽器を演奏することを可能にするように構成されており、
接続部材が、使用者の指と親指の間の把持のためのグリップを提供する、弦楽器のための爪が提供される。
【００１２】
通常、爪は、爪の中央を横切って形成された隆起したまたは段差状の部材を有する。隆起したまたは段差状の部材もまた、曲線状であり、第１の部分内に突き出している。
【００１３】
通常、爪の第１および第２の部分は、それぞれ平坦な部材であり、第１の部分が、第２の部分に対して隆起した位置にある。
【００１４】
任意選択で、爪の第１または第２の部分は、少なくとも１つの尖った弦係合縁部と、少なくとも１つの鋸歯状またはスカラップ状の弦係合縁部と、少なくとも１つの楕円形（またはメロンの種型または涙型）の形状の弦係合縁部を有する。
【００１５】
好ましくは、爪の第１の部分は、鋸歯状またはスカラップ状の弦係合縁部と極めて近接している短い尖った弦係合縁部を備える。
【００１６】
通常、隆起したまたは段差状の部材は、さらなる弦係合縁部として機能可能である少なくとも１つの端部を有する。
【００１７】
本発明の第２の実施形態によると、
（ａ）複数の弦係合縁部を有する第１の実質上平坦な部材と、
（ｂ）さらなる弦係合縁部を有する第２の実質上平坦な部材と、
（ｃ）前記第１および第２の部材を接続し、爪の中央を横切る弧の形状に形成されている一体に形成された隆起したまたは段差状の接続部材とを備え、
接続部材が、使用者の親指または指の間の把持のための確実なグリップを提供し、
複数の弦係合縁部および前記さらなる弦係合縁部が、弦楽器の少なくとも１つまたは複数の弦を１つまたは複数の弦係合縁部と係合させることによって使用者が弦楽器を演奏することを可能にするように構成されている、弦楽器のための第１の端部および第２の端部を有する爪が提供される。
【００１８】
別法として、第３の実施形態では、
（ａ）複数の弦係合手段を有する第１の部分と、
（ｂ）さらなる弦係合手段を有する第２の部分と
（ｃ）前記第１および第２の部材を接続し、爪を横切る曲線状の溝の形状に形成されている一体に形成された接続部材とを備え、
複数の弦係合縁部および前記さらなる弦係合縁部が、弦楽器の少なくとも１つまたは複数の弦を１つまたは複数の弦係合縁部と係合させることによって使用者が弦楽器を演奏することを可能にするように構成されており、
接続部材が、使用者の親指と他の指の間の把持のためのグリップを提供する、弦楽器のための爪が提供される。
【００１９】
別法として、本発明の第４の実施形態では、
（ａ）複数の弦係合手段を有する第１の部分と、
（ｂ）さらなる弦係合手段を有する第２の部分と、
（ｃ）前記第１および第２の部材を接続し、爪の第１の面を横切る曲線状の隆起部と爪の第２の反対側の面上の溝との形状に形成されている一体に形成された接続部材とを備え、
複数の弦係合縁部および前記さらなる弦係合手段が、弦楽器の少なくとも１つまたは複数の弦を１つまたは複数の弦係合手段と係合させることによって使用者が弦楽器を演奏することを可能にするように構成されており、
接続部材が、使用者の親指と他の指の間の把持のためのグリップを提供する、弦楽器のための爪が提供される。
【００２０】
別法として、さらに別の実施形態では、
（ａ）複数の弦係合手段を有する第１の部分と、
（ｂ）さらなる弦係合手段を有する第２の部分と、
（ｃ）前記第１および第２の部材を接続し、爪の少なくとも１つの面を実質上横切って延びる曲線状の隆起部と溝の組合せの形状に形成されている一体に形成された接続部材とを備え、
複数の弦係合縁部および前記さらなる弦係合縁部が、弦楽器の少なくとも１つまたは複数の弦を１つまたは複数の弦係合縁部と係合させることによって使用者が弦楽器を演奏することを可能にするように構成されており、
接続部材が、使用者の指と親指の間の把持のためのグリップを提供する、弦楽器のための爪が提供される。
【００２１】
別法として、さらに別の実施形態では、
（ａ）複数の弦係合手段を有する第１の部分と、
（ｂ）複数の弦係合手段をやはり有する第２の部分とを備え、前記第１の部分が前記第２の部分に取り付けられており、さらに
（ｃ）爪の少なくとも１つの面を実質上横切って延びている、曲線状の隆起部と溝の組合せの形態である、使用者の親指または指を把持するための手段を備え、
弦楽器の少なくとも１つまたは複数の弦を、第１の部分または第２の部分のいずれかに形成された前記弦係合手段のそれぞれと係合させることによって、使用者が弦楽器を演奏することを可能にするような構成で複数の弦係合手段が、第１の部分および第２の部分上に形成されている、弦楽器のための爪が提供される。
【００２２】
別法として、左利きの使用者に適した各実施の鏡像などの本発明の爪の変形形態が提供されている。さらに、弧形の隆起部または溝は、爪の全幅を横切らずに、いくつかの不連続なセグメントから形成されてもよい。
【００２３】
通常、本発明の爪は、プラスチック、金属、金属合金および繊維ガラスの群から選択された材料から作製される。
【００２４】
本発明を、添付の図面を参照にして、限定されない例を用いて説明する。
【発明を実施するための最良の形態】
【００２５】
添付の図面を参照すると、図１は、爪１の斜視図を示している。爪１は、それぞれ２つの部分１０および１２を備える。２つの部分１０および１２は、同一平面上にはなく、実質上爪１の厚さの距離だけ横断方向にずれている。これら２つの部分１０および１２は、一体に形成された段差部材１４によって接続されている。この段差部材１４は、弧の形状であり、弧の頂点は、第１の部分１０内へ延びている。
【００２６】
部分１０は、互いに対向する２つの隅部１１４および１１８を有する。一方、部分１２は、他方の隅部１１４、１１８から遠位にある楕円形（メロンの種型または涙型）の形状の隅部１１２を有する。これらの隅部は、楽器の弦と係合するための３つの演奏縁部１１２、１１４、１１８を画定している。しかし、さらなる演奏縁部を以下で説明する。
【００２７】
演奏縁部１１２は、長方形または楕円形の形状であり、丸みをおびた先端を有する。この縁部１１２は、通常の演奏に適しており、上行および下行ストローク運動で、個々の弦をかき鳴らすまたは爪弾くために使用される。尖った演奏縁部１１４は、縁部１１２よりも鋭く、速い爪弾きに適している。縁部１１８は、１１４と同様の尖った縁部であるが、別の鋸歯状またはスカロップ状の演奏縁部１１６と接合している。
【００２８】
弧状の段差１４が、くぼんだ表面１０２を作成している。たとえば楽器の弦と係合するために縁部１１２を使用するとき、１０２は、親指の把持領域、および人差し指のための爪１の反対側面上のそれに対応する領域を画定する。この把持位置では、親指のはらの後カーブが、（図２に示すように）曲線状の段差１４と快適に嵌合する。この曲線状の段差１４は、親指に爪１上でのしっかりとした能動的なグリップを提供する。同様に、爪１の反対側の曲線状の段差もまた、指に能動的なグリップを提供する。よりしっかりとしたグリップの提供によって、使用者は、上行ストロークと下行ストロークの爪弾き／かき鳴しの間で交番するたびに、爪１を親指と指の間で容易に枢動させることができる。
【００２９】
弦と係合させるために尖った縁部１１４を使用するとき、把持領域は、たとえば１０３に配置される。把持点１０３から縁部１１４の距離は、１０２から１１２の距離よりも短い。このことは、隅部１１４をより堅固にし、したがって、縁部１１４は、速い爪弾きに適しており、ソロ演奏用などのためのより大きな音を生成する。この把持位置１０３では、親指の前方のカーブが曲線状の段差１４と嵌合し、親指のための能動的なグリップを提供する。爪１のこの隅部の尖った演奏縁部１１４はまた、縁部１１４が、速い爪弾きのためおよびクリアな抑揚を作成するために弦と３０度の理想的な角度で保持されるように設計されている。
【００３０】
スカロップ型の縁部１１６は、少なくとも３つの小さな曲線状の縁部１１７を備える。これら構成縁部１１７は、縁部１１６に対して凸状の輪郭形状を形成する。弦をかき鳴らすためにこの縁部１１６を使用するとき、各弦は、各ストロークで１回以上かき鳴らされ、１２弦ギターの音色のような複数の音色を作成する。縁部１１６はまた、より多くのトレブル効果を与えるなどの、様々なかき鳴しの音色を作成するために使用される。縁部１１６は、弦との良好な接触を提供し、ナイロンおよびスチール弦楽器の両方をかき鳴らすために適している。
【００３１】
スカロップ状の縁部１１６は、別の尖った演奏縁部１１８を終点としている。縁部１１６および１１８は、互いに近接しており、使用者に両方の縁部１１６、１１８で弦をかき鳴らすか、または縁部１１８のみでかき鳴らすかの選択を提供する。たとえば曲線状の縁部１４によって提供された位置１０４に、しっかりとしたグリップを有することによって、使用者は、彼の親指および指の周りに爪１を枢動させることができ、このことは彼に、縁部１１６と１１８の効果をかなり容易に結合する自由度を与える。縁部１１８が、弦とある角度の爪１でかき鳴らされると同時に縁部１１６が弦に接触することを許すとき、人工的に弱音化された倍音が作成される。
【００３２】
段差縁部部材１４は、爪１の両側のＺ型輪郭形状を終点としている。Ｚ型輪郭形状の縁部１２０、１２０’は、楽器の弦を引くのに適している。このことは、ポッピングまたはスラビングの音響効果を作成するために人の指で弦を挟む操作の代替を提供する。
【００３３】
把持点１０２、１０３、１０４のそれぞれの表面は、親指または指のためのさらなるグリップを提供するために凹型のくぼみまたは凸型の突起を有しても良い。
【００３４】
演奏点１１２、１１４、１１６、１２０、１２０’を選択することで、爪１は、使用者に弦楽器を演奏する柔軟性を提供する。段差縁部１４はまた、異なる演奏縁部が交互に使用されるとき、使用者が彼の把持点を移動させるための基準点を提供する。このことは、彼が、正確な演奏点を配置して、迅速かつ正確に使用することを助ける。たとえば、縁部１１２で演奏した後、彼の親指および他の指で爪１を回転させ、段差縁部１４の感覚により、彼の把持点を点１０３へたとえば移動させ、かなり容易かつ正確に演奏縁部１１４を使用することができる。この特徴は、使用者の速い演奏を助ける。
【００３５】
本発明の爪１はまた、親指または指に装着された爪と比較して、親指と他の指の間で爪を保持することによる柔軟な制御を可能にする。このことは、使用者が、上行ストロークまたは下行ストロークの爪弾き／かき鳴し中、弦に対する傾斜角度を制御することを可能にする。このことはまた、使用者が、爪１を把持点の周りに枢動させることを可能にし、指をねじられることから解放する。親指と指の間の把持点の周りで枢動することの自由度および、演奏縁部の前面および背面を交互にしようすることはまた、音楽家が、彼自身のスタイルおよび演奏技術、おおよび所望の音色の組合せを表現することを可能にする。
【００３６】
段差付き縁部１４によって、爪１は平坦ではなく、テーブルからまたはそのホルダの内部から容易に取り上げることができる。
【００３７】
爪１は、曲線状の演奏縁部１１２から鋸歯状の縁部１１６まで実質上３０ｍｍの、および演奏縁部１１４から縁部１１８まで実質上２８ｍｍのサイズを有する。爪１はプラスチック製であり、たとえばプラスチック射出成形によって製造するのに適している。爪１はまた約１、０．７および０．５ｍｍの厚さで製造され、「厚」、「中間」、「薄」と記載されている。
【００３８】
同じ参照番号は、第１および次の実施形態と共通である特徴を示すために維持されている。英字ａ、ｂなどが、実施形態の類似の特徴を区別するために追加されてもよい。
【００３９】
図４は、爪１ａの第２の実施形態の透視図を示している。爪１ａは、３つの隅部を備える平面状の本体２０と、一体に成形された弧型の隆起部２０１とを有する。第１の隅部は、普通の演奏のために通常使用される楕円形（メロンの種型または涙型）の形状の隅部１１２ａを有する。第２の隅部は、尖った演奏縁部１１４ａを備えるが、第３の隅部は、さらなる尖った演奏縁部１１８ａを備える。１１８ａと連続して、１１４ａと共通の縁部に、鋸歯状またはスカロップ状の縁部を有する演奏縁部１１６ａがある。隆起部２０１は、曲線状であり、爪１ａを横切って延びて、第１の隅部１１２ａを他の２つの隅部１１４ａ、１１８ａから分離している。隆起部２０１の頂点は、隅部１１２ａから遠ざかる方向を向いている。隆起部２０１は、爪１ａの側面の縁部１２０ａ、１２０ａ’を終点としている。これらの縁部１２０ａ、１２０ａ’また、さらなる弦係合縁部として適している。図５は、爪１ａの側面図を示している。
【００４０】
図６は、爪１ｂの第３の実施形態の透視図である。爪１ｂは、３つの隅部と一体に成形された弧形の溝２０２を有する平面状の本体３０を有する。第１の隅部は、普通の演奏のために通常使用される楕円形（メロンの種型または涙型）の形状の演奏縁部１１２ｂを有する。第２の隅部は、尖った演奏縁部１１４ｂを備えるが、第３の隅部は、さらなる尖った演奏縁部１１８ｂを備える。１１８ｂと連続して、１１４ｂと共通の縁部に、鋸歯状またはスカロップ状の縁部を有する演奏縁部１１６ｂがある。溝２０２の頂点は、隅部１１２ｂから遠ざかる方向を向いている。溝２０２は、爪１ｂの側面の縁部１２０ｂ、１２０ｂ’を終点としている。これらの縁部１２０ｂ、１２０ｂ’はまた、弦楽器用の弦係合縁部として適している。図７は、爪１ｂの側面図を示している。図示のように、爪１ｂの両表面上の溝２０２は、互いに偏移しており、それによって、爪１ｂの厚みは不利な影響を受けない。
【００４１】
図８は、爪１ｃの第４の実施形態の透視図を示している。爪１ｃは、一方の表面上の弧形の隆起部２０１と他方の表面上の溝２０２の組合せを有する。図９は、爪１ｃの側面図を示している。上記で説明したように縁部自体の特徴的な音色を作成するために使用される演奏縁部は、１１２ｃ、１１４ｃ、１１６ｃおよび１１８ｃである。
【００４２】
図１０は、爪１ｄの第４の実施形態の透視図を示している。爪１ｄは、同じ面上に弧型の隆起部２０１と弧型の溝２０２の組合せを有する。反対側の表面は、任意選択で、同じ組合せの隆起部２０１と溝２０２を有する。図１１は、爪１ｄの側面図を示している。
【００４３】
爪のわずかな実施形態を説明し、図示してきたが、本発明の範囲を逸脱することなく、本発明に対する変更、修正形態および変形形態が可能であることを理解されたい。上記の爪の変形形態は、各実施形態の鏡像であり、このような鏡像の爪は左利きの使用者に適している。別の修正形態は、弧形の隆起部２０１または溝２０２が、実質上爪１を横切って延びているが、爪１の全幅を横切っていないことである。また、この、弧形の隆起部２０１または溝２０２は、いくつかの不連続なセグメントから形成されてもよい。たとえば金属、金属合金または繊維ガラスなどの他の材料を使用することができる。金属射出成形、粉末冶金などの他の製造方法もまた、爪１の製造のために適している。
【図面の簡単な説明】
【００４４】
【図１】本発明による爪の第１の実施形態の透視図である。
【図２】使用中、親指および他の指とともに示された、図１に示したような爪の側面図である。
【図３】親指と指の間で保持されている図１に示したような爪の別の側面図である。
【図４】本発明による爪の第２の実施形態の透視図である。
【図５】本発明による爪の第２の実施形態の側面図である。
【図６】本発明による爪の第３の実施形態の透視図である。
【図７】本発明による爪の第３の実施形態の側面図である。
【図８】本発明による爪の第４の実施形態の透視図である。
【図９】本発明による爪の第４の実施形態の側面図である。
【図１０】本発明による爪の第５の実施形態の透視図である。
【図１１】本発明による爪の第５の実施形態の側面図である。